(57)【要約】【課題】制御盤や配電盤等の配線に関する図面の情報のうち、一部の情報のみを抽出して、配線作業者の見間違えや見落としが発生しないように分かりやすく表示した図面を作成する図面作成装置を提供する。【解決手段】シーケンス図面の情報を、配線対象物である制御盤および器具の情報および配線情報とともに情報ファイル４にファイルしておき、配線の必要がある特定の制御盤および器具の情報を入力装置から入力すると、データー処理部３は、入力された特定の制御盤および器具の配線情報を情報ファイル４から抽出して読み出し、該当する配線部分のみのシーケンス図面を作成し、プリンター５より出力する。これにより、配線作業者の見間違え配線を防止することが出来る。【選択図】図１
2010039982.tif 000002
【特許請求の範囲】
【請求項１】
複数の配線対象物の情報およびこれらの配線対象物間の配線情報に基づき作成されたシーケンス図面の情報を前記配線対象物の情報および前記配線情報とともに保存する保存手段と、前記複数の配線対象物の情報のうちの特定の配線対象物の情報が入力されたとき、前記保存手段から、前記シーケンス図面についての、入力された前記特定の配線対象物間の配線情報のみを抽出して読み出し、読み出した配線情報に基づいて、前記特定の配線対象物間の配線情報のみを特定の表示方法で表示したシーケンス図面を作成する手段とを備えたことを特徴とする図面作成装置。
【請求項２】
配線対象物に関する配線情報が表示された複数の図面について、配線対象物に関する配線情報を変更する変更指示が入力されたとき、それぞれの図面における配線情報の変更を表示した配線変更情報を集約して表示した一つの変更指示図面を作成する手段を備えたことを特徴とする図面作成装置。
【発明の詳細な説明】
【技術分野】
【０００１】
本発明は、制御盤等の配線を行う為に使用する配線図面や、配電盤等の配線完了後の配線変更を指示する変更指示図面等を作成する図面作成装置に関する。
【背景技術】
【０００２】
従来は、制御盤等の内部配線を、シーケンスを見ながら行えるようにするために、シーケンスの各該当するページの内容を確認し、配線に該当する部分を囲む等のしるしを付ける事で、配線作業者に指示を行っている。
【０００３】
また、従来は、配電盤の配線を行う為に、配線指示図面を用いながら配線を行い、配線途中、又は配線完了後に配線変更等が発生した場合は、配線指示図面の内容を変更し、変更指示図面として使用し配線の変更を行っている。なお、配線の変更要求があった場合に、変更箇所と変更内容を示す変更指示図面を自動的に作成することは、例えば特許文献１に記載されている。
【０００４】
また、設計者が作成した図面は、完成すると共通サーバーにデーター化されて保存され、他の部署の者（営業、技術、製造、試験調整等）がその作成図面を見たり、コピーが必要な場合は、設計者からコピーを送付してもらうか、共通サーバーから図面データーを入手して見たり、コピーを行ったりしている。なお、作成した図面を共通サーバーに保存し、複数の利用者端末からこの図面を閲覧したりコピーを行なったりすることは例えば特許文献２に記載されている。また、図面を閲覧したりコピーを行なったりする場合に、図面情報の漏洩を防止するためにセキュリティの強化を図ることは、例えば特許文献３に記載されている。
【特許文献１】特開２００６−４１０７号公報
【特許文献２】特開２００３−６０８１８号公報
【特許文献３】特開２００７−２６４７５６号公報
【発明の開示】
【発明が解決しようとする課題】
【０００５】
ところで、従来のように、制御盤等の内部配線を、シーケンスを見ながら行えるようにするために、シーケンスの各該当するページの配線に該当する部分に囲む等のしるしを付けるには、シーケンスより該当範囲を探し出すことが必要となり、従って熟練した経験者が必要になる。又該当以外の配線情報もシーケンスに表現されている為、見間違えによる誤配線を起こすなどの問題が有る。
【０００６】
また、従来のように、配線指示図面を用いながら配電盤の配線を行っている途中又は配線完了後に配線変更等が発生した場合は、配線指示図面の内容を変更するため変更指示図面を作成し使用することになるが、配線変更等のボリュームが多くなると、作成する変更指示図面の枚数も多くなる。その為、その変更指示図面を用いて配線変更を行う作業者も、多くの図面を見ながら配線の変更を行わなければならず、図面の見間違えや、見落としが発生するなどの問題が有った。
【０００７】
本発明は、上記記載の従来の問題点を解決するもので、制御盤や配電盤等の配線に関する図面の情報のうち、一部の情報のみを抽出して、配線作業者の見間違えや見落としが発生しないように分かりやすく表示した図面を作成する図面作成装置を提供することを目的とする。
【課題を解決するための手段】
【０００８】
上記目的を達成するために、本発明の第１の発明である図面作成装置は、複数の配線対象物の情報およびこれらの配線対象物間の配線情報に基づき作成されたシーケンス図面の情報を配線対象物の情報および配線情報とともに保存する保存手段と、複数の配線対象物の情報のうちの特定の配線対象物の情報が入力されたとき、保存手段から、シーケンス図面についての、入力された特定の配線対象物間の配線情報のみを抽出して読み出し、読み出した配線情報に基づいて、特定の配線対象物間の配線情報のみを特定の表示方法で表示したシーケンス図面を作成する手段とを備えたことを特徴とする。
【０００９】
また、本発明の第２の発明である図面作成装置は、配線対象物に関する配線情報が表示された複数の図面について、配線対象物に関する配線情報を変更する変更指示が入力されたとき、それぞれの図面における配線情報の変更を表示した配線変更情報を集約して表示した一つの変更指示図面を作成する手段を備えたことを特徴とする。
【発明の効果】
【００１０】
本発明の第１の発明によれば、シーケンス図面に熟練した作業者以外でも、誤配線をする事が無く、配線作業効率が向上するシーケンス図面を作成することが出来る。
【００１１】
また、本発明の第２の発明によれば、配線作業者が見間違えや、見落としが発生しない変更指示図面を作成することが出来る。
【発明を実施するための最良の形態】
【００１２】
以下、図面を参照して本発明の実施形態について詳細に説明する。なお、以下の図において、同符号は同一部分または対応部分を示す。
【００１３】
（第１の実施形態）
本発明の第１の実施形態は、制御盤などの内部配線を、シーケンスを見ながら行えるようにするために、熟練した経験者がシーケンスを見ながら該当する配線部分にしるしを付けるということをやめ、配線を行いたい制御盤の名称等を入力する事で、自動的に該当する配線の選択を行い、該当する配線範囲のみを記載したシーケンス図面を作成し、出力できるようにした図面作成装置である。
【００１４】
この第１の実施形態に係る図面作成装置のハードウエアー構成を図１に示す。同図に示すように、この図面作成装置は、情報入力を行う入力装置１、表示を行うＣＲＴ表示部２、データーの処理を行うデーター処理部３、図面情報を保存する情報ファイル４、図面を出力するプリンター５から構成されている。
【００１５】
図２は、通常の、配線情報を全て表示したシーケンス図面の一例を示すものである。また、図３は、ある制御盤の内部配線を行うための、該当する配線部分のみを表示したシーケンス図面の一例を示すものである。
【００１６】
次に、この実施形態の構成がどのように機能するかを図１、図２、図３を用いて説明する。例えば、ビル管理システム、上下水道管理システムのように、複数の制御盤を用いて構成される制御システムにおいては、多数のシーケンス図面が作成される。このシーケンス図面を作成するには、入力装置１にて、配線対象物（例えば配線対象となる制御盤および器具）の情報及び配線対象物間の配線情報の入力を行い、データー処理部３にて処理後、作成されたシーケンス図面の情報が配線対象物の情報及び配線対象物間の配線情報配線情報とともに情報ファイル４にファイルされ、その内容をプリンター５にて出力すると、例えば図２のようなシーケンス図面となる。図２では、配線対象物である第１の制御盤＜Ａ−ＢＢ＞の複数の器具（例えば、メータ、表示器、補助リレー、基板など）６Ａ，６Ｂ，６Ｃ，６Ｄ、第２の制御盤＜Ｂ−ＣＣ＞の器具６Ｅ、第３の制御盤＜Ｄ−ＥＥ＞の器具６Ｆの間の配線情報が全て表示されている。
【００１７】
次に、入力装置１にて、配線を行う必要がある制御盤および器具の名称を、仮に＜Ａ−ＢＢ＞６Ａ，６Ｂ，６Ｃ，６Ｄと入力すると、データー処理部３にて、該当する部分の配線情報、すなわちこの入力された特定の配線対象物である制御盤および器具間の配線情報のみを情報ファイル４から抽出して読み出し、図３のように、制御盤＜Ａ−ＢＢ＞の器具６Ａ，６Ｂ，６Ｃ，６Ｄ間の配線に該当する部分のみの配線情報が表示されたシーケンス図面が作成され、プリンター５より出力される。このシーケンス図面により、配線作業者は制御盤＜Ａ−ＢＢ＞の内部配線を行うことができる。
【００１８】
以上により、従来のようにシーケンス図面に対する熟練者による該当範囲のしるし付け作業が不要になり、尚且つ該当する配線範囲のみのシーケンス図面を作成し出力する事で、配線作業者の見間違え配線を防止することが出来る。
【００１９】
（第１の実施形態の変形例）
上記実施形態においては、該当する配線部分のみを表示した図面を作成して出力したが、該当する配線部分の色を変えて表示した図面とすることもできる。例えば、該当する配線部分のみを赤色で表示し、他の部分は黒色とすることもできる。
【００２０】
又、該当する配線部分を強調して表示した図面とすることもできる。例えば、該当する配線部分の線や文字の太さを、他の部分より太くすることもできる。
【００２１】
（第２の実施形態）
次に、本発明の第２の実施形態は、配電盤などの配線を行っている途中又は配線完了後に配線変更等が発生した場合に、変更指示図面を作成するために、配線指示図面をそのまま用いて、その配線指示図面の内容の変更を表示するのではなく、変更箇所を集めて、専用の変更指示図面を作成する事により、配線変更情報を集約して表示した一つの変更指示図面として出力できるようにした図面作成装置である。
【００２２】
この第２の実施形態に係る図面作成装置のハードウエアー構成は、上述の第１の実施形態と同様に、図１に示すようなものとする。
【００２３】
図４は、従来の変更指示図面とこの第２の実施形態による変更指示図面とを対比して説明するための図である。
【００２４】
次に、この実施形態の構成がどのように機能するかを図１、図４を用いて説明する。
【００２５】
入力装置１にて、配線変更情報入力を行うと、従来では、図４の左側に示すような、配線情報の変更を行う器具についての配線変更情報を含む配線情報を表示する部分が複数の図面６，７，８のそれぞれに配置されるような変更指示図面となっていたが、この実施形態では、図４の右側に示すような、配線変更を行う複数の器具についての配線変更情報を含む配線情報を表示する部分が集約された一つの変更指示図面９が作成され、その情報が情報ファイル４に格納され、それをプリンター５により出力し、変更指示図面として配線作業者へ渡す。
【００２６】
すなわち、入力装置１にて、ある図面における器具Ａ１の２番目の配線情報の変更、別の図面における器具Ｃ１の３番目の配線情報の変更、および更に別の図面における器具Ｄ１の４番目の配線情報の変更の指示を行うと、データー処理部３では、これらの配線情報の変更の指示が行われた複数の器具のそれぞれについての配線変更情報を含む配線情報の表示スペースを加算し、一つの図面に収まるだけの数の器具の配線変更情報を含む配線情報を集約して表示した図４の右側に示すような一つの変更指示図面９を作成し、その情報が情報ファイル４に格納されるとともに、それをプリンター５により出力する。
【００２７】
なお、複数の器具の配線変更情報を含む配線情報を集約して表示し一つの変更指示図面を作成する場合、縮小して表示すれば、より多数の器具の配線変更情報を含む配線情報を一つの変更指示図面に表示することができる。
【００２８】
以上により、配線変更を行う複数の器具についての配線変更情報を含む配線情報を表示する部分を集約して表示した一つの変更指示図面を作成し出力する事で、変更指示図面の作成枚数を最少枚数とすることができ、配線作業者の見間違えや、見落としを防止することが出来る。
【００２９】
（第２の実施形態の変形例）
上記実施形態では配線変更を行う複数の器具についての配線変更情報を含む配線情報を表示する部分が集約された図４の右側に示すような一つの変更図面９を作成したが、図５に示すように、配線変更を行う複数の器具についての配線変更情報だけを集約して表示した一つの変更指示図面１０を作成することとしてもよい。
【００３０】
（第３の実施形態）
次に、本発明の第３の実施形態は、上述の第１の実施形態の図面作成装置で作成したシーケンス図、上述の第２の実施形態の図面作成装置で作成した変更指示図面、あるいは設計者が作成したその他の図面を、その仕事に関わる他の部署の者（営業、技術、製造、試験調整等）が最新図面を必要なタイミングで見たり、コピーを入手したり出来るようにした図面送付装置である。
【００３１】
この第２の実施形態に係る図面送付装置のハードウエアー構成を図６に示す。同図において、６１は設計者が図面作成を行うパソコン（これは、例えば上述の第１および第２の実施形態における入力装置１、ＣＲＴ表示部２、データー処理部３、および情報ファイル４であってもよい）、６２は設計者が作成した図面データーを保存する共通サーバー、６３，６４，６５は他の部門の者が図面を見るパソコン、６６，６７，６８は図面のコピーである。
【００３２】
本発明の構成がどのように機能するかを図６を用いて説明すると、設計者は６１のパソコンにて図面を作成し、他部門へ送付可能になった時点にて、６２の共通サーバーに図面データーを保存する。他部門の者は、パソコン６３，６４，６５により、共通サーバー６２に種々の伝送路を経由してアクセスを行い必要な図面を見たり、図面のコピー６６，６７，６８を出力出来る。但し、設計者がパソコン６１にて図面の作成中及び、変更中は、他部門の者が共通サーバー６２にアクセスしても、パソコン６３，６４，６５の画面に図面作成中又は、変更中の表示がされ、図面の内容を見たり、図面のコピーを出力する事が出来ない。
【００３３】
以上により、設計者が作成した図面は共通サーバー６２に保存し他の部署の者が共通サーバー６２にアクセスする事で必要なタイミングで図面を見ることが出来るようになる。又設計者が図面の変更を行っている最中は、図面を変更していることを表示する事で、他の部署の者が古い図面を見たり、古い図面のコピーを行うことが無い。
【００３４】
なお、上述の説明では、他の部門の者が共通サーバー６２にアクセスを行うとしたが、共通サーバー６２にアクセスを行うことができるのは、事前に設計者が許可した者とし、機密保持機能を有することも出来る。
【００３５】
又、アクセスした他の部門の者の氏名、日時、使用目的を入力させ、それを記録する事で、より機密保持機能が強化出来る。
【図面の簡単な説明】
【００３６】
【図１】本発明の第１および第２の実施形態に係る図面作成装置の構成を示す図。
【図２】第１の実施形態における通常のシーケンス図面の例を示す図。
【図３】第１の実施形態における該当する配線部分のみを表示したシーケンス図面の例を示す図。
【図４】従来の変更指示図面と第２の実施形態における変更指示図面とを対比して示す図。
【図５】第２の実施形態における変更指示図面の他の例を示す図。
【図６】本発明の第３の実施形態に係る図面送付装置の構成を示す図。
【符号の説明】
【００３７】
１…入力装置
２…ＣＲＴ表示部
３…データー処理部
４…情報ファイル
５…プリンター
６１…設計者のパソコン
６２…共通サーバー
６３，６４，６５…他の部門のパソコン
６６，６７，６８…図面のコピー
【図１】
2010039982.tif 000003
【図２】
2010039982.tif 000004
【図３】
2010039982.tif 000005
【図４】
2010039982.tif 000006
【図５】
2010039982.tif 000007
【図６】
2010039982.tif 000008